(57)【要約】  発光ダイオード（ＬＥＤ）の構造が開示され、この構造は、少なくとも１つのＬＥＤユニット（１）と、第１の材料から作られた、少なくとも第１の種類のＬＥＤのダイ（３）と、第２の材料から作られた、少なくとも第２の種類のＬＥＤのダイ（４）と、波長変換材料（６）を備えている密封部材（５）と、を備え、前記少なくとも第１の種類のＬＥＤのダイ（３）は、前記少なくとも第２の種類のＬＥＤのダイ（４）とは別々に、電気的にアドレス指定可能であり、前記少なくとも１つのＬＥＤユニット（１）は、両方の種類のＬＥＤのダイ（３，４）を備えていると共に、波長変換材料（６）を備えた前記密封部材（５）の少なくとも１つの連続部分を備え、両方の種類のＬＥＤのダイ（３，４）から放射された光を受けるように配置されている。ＬＥＤ構造はさらに、前記ＬＥＤ構造から得られる色温度を調整するための手段（７）を備えている。【選択図】図１
2009517858.tif 000002
【特許請求の範囲】
【請求項１】
発光ダイオード（ＬＥＤ）の構造であって、
少なくとも１つのＬＥＤユニット（１）と、
第１の材料から作られた、少なくとも第１の種類のＬＥＤのダイ（３）と、
第２の材料から作られた、少なくとも第２の種類のＬＥＤのダイ（４）と、
波長変換材料（６）を備えている密封部材（５）と、を備え、
前記少なくとも第１の種類のＬＥＤのダイ（３）は、前記少なくとも第２の種類のＬＥＤのダイ（４）とは別々に電気的にアドレス指定可能であり、前記少なくとも１つのＬＥＤユニット（１）は、両方の種類のＬＥＤのダイ（３，４）を含んでいると共に、波長変換材料（６）を備えた前記密封部材（５）の少なくとも１つの連続部分が、両方の種類のＬＥＤのダイ（３，４）から放射された光を受けるように配置されており、
前記ＬＥＤ構造はさらに、前記ＬＥＤ構造から得られる色温度を調整するための手段（７）を備えていることを特徴とするＬＥＤ構造。
【請求項２】
前記第１の種類のＬＥＤのダイ（３）は、青色ＬＥＤのダイである、請求項１に記載のＬＥＤ構造。
【請求項３】
前記第１の材料は、ＩｎＧａＮ(Indium Gallium Nitride)及びＧａＮ(Gallium Nitride)から選択されている、請求項１又は２に記載のＬＥＤ構造。
【請求項４】
前記第２の種類のＬＥＤのダイ（４）は、アンバーＬＥＤのダイである、請求項１乃至３のいずれか１項に記載のＬＥＤ構造。
【請求項５】
前記第２の材料は、ＡｌＩｎＧａＰ(Indium Gallium Aluminum Phosphide)、ＧａＡｓＰ(Gallium Arsenide Phosphide)及びＧａＰ(Gallium Phosphide)から選択されている、請求項１乃至４のいずれか１項に記載のＬＥＤ構造。
【請求項６】
前記波長変換材料（６）は、（ＹＡＧ：Ｃｅ）、（ＹＡＧ：Ｃｅ，Ｐｒ）、及び（ＹＡＧ：Ｃｅ，Ｅｕ）等の、セリウム、プラセオジム、ユーロピウム、又はこれらの組合せをドープされた、イットリウム・アルミニウム・ガーネットである、請求項１乃至５のいずれか１項に記載のＬＥＤ構造。
【請求項７】
前記ＬＥＤ構造から得られる色温度を調整するための前記手段は、パルス幅変調を使用している、請求項１乃至６のいずれか１項に記載のＬＥＤ構造。
【請求項８】
前記パルス幅変調において、前記第１の種類のＬＥＤのダイと、前記第２の種類のＬＥＤのダイとが、合わせて１００％の時間、スイッチオンされ、前記第１の種類のＬＥＤのダイはｎ％の時間だけスイッチオンされ、前記第２の種類のＬＥＤのダイは（１００−ｎ）％の時間だけスイッチオンされる、請求項７に記載のＬＥＤ構造。
【請求項９】
請求項１乃至８のいずれか１項に記載のＬＥＤ構造の色温度の出力値を調整する方法であって、
所望の出力値を設定する段階と、
前記所望の出力値に達するまで、前記第１の種類のＬＥＤのダイ（３）と前記第２の種類のＬＥＤのダイ（４）との輝度を変化させる段階と、
を備えている、ＬＥＤ構造の色温度の出力値を調整する方法。
【請求項１０】
ＬＥＤ構造から得られる色温度を調整するための手段であって、
前記ＬＥＤ構造が、
少なくとも１つのＬＥＤユニット（１）と、
第１の材料から作られた、少なくとも第１の種類のＬＥＤのダイ（３）と、
第２の材料から作られた、少なくとも第２の種類のＬＥＤのダイ（４）と、
波長変換材料（６）を備えている密封部材（５）と、を備え、
前記少なくとも第１の種類のＬＥＤのダイ（３）は、前記少なくとも第２の種類のＬＥＤのダイ（４）とは別々に電気的にアドレス指定可能であり、前記少なくとも１つのＬＥＤユニット（１）は、両方の種類のＬＥＤのダイ（３，４）を含んでいると共に、波長変換材料（６）を備えた前記密封部材（５）の少なくとも１つの連続部分が、両方の種類のＬＥＤのダイ（３，４）から放射された光を受けるように配置されている、手段。
【発明の詳細な説明】
【技術分野】
【０００１】
本発明は、色温度の出力値を調整できる発光ダイオード（ＬＥＤ）の構造に関する。また、本発明は、このようなＬＥＤ構造における色温度の出力値を調整するための方法、及び、色温度の出力値を調整するための手段に関する。
【背景技術】
【０００２】
ほとんどの白色光のＬＥＤ（発光ダイオード）は、短い波長（青、紫、紫外）を放射するＬＥＤのダイと、このダイからの光を吸収して長い波長の二次放射を発生する波長変換器とを採用している。従って、そうしたダイオードは、２以上の波長の光を放射し、これらが組み合わされると、白く見える。最も一般的な波長変換器の材料は、蛍光体と呼ばれ、他の放射源からエネルギーを吸収すると発光する。
【０００３】
白色光は、一般に、その色温度によって記述され、それは、完全黒体が同一のスペクトルを放射するであろう温度（ケルビン）である。
【０００４】
現在の市場において入手可能な白色ＬＥＤは、２つの主たる色温度変化のものであり、冷白色（５０００〜６５００Ｋ）と、暖白色（３２００〜４０００Ｋ）とである。これらのすべてのＬＥＤは、蛍光体で変換される青色のＬＥＤに基づいている。
【０００５】
現在のところ、色温度を変化させるための、ＬＥＤベースの解決策は、下記のいずれかに基づいている。すなわち、
−２つの別々のＬＥＤ（１つは暖白色、１つは冷白色）を使用して、これらの両方は異なる輝度で駆動され、ここでは両方の色温度を一緒に混合するために光学的統合を生じることを必要としており、従って、両方のＬＥＤの２つの極端の間のいずれかの色温度が得られる。
−２つの別々のＬＥＤ（１つは冷白色、１つはアンバー）を使用して、冷白色のＬＥＤを最も高い輝度にて駆動し、アンバーを徐々に加えて、色温度の印象を白へ移動させる。
【０００６】
米国特許出願公開第２００２／００４８１７７号は、色温度が調整可能な白色光を発生するＬＥＤ装置を開示している。このＬＥＤ装置は、１又は複数の白色ＬＥＤと、１又は複数の着色ＬＥＤとを具備している。着色ＬＥＤからの光出力は、白色光と混合して、所望の色温度を有する光を生成する。着色光の出力の輝度は、ユーザによって調整可能になっており、得られる光の色温度を変化させる。
【０００７】
従来技術による解決策における１つの不都合は、光が単一の源に由来しないことから、色を適切に混合するために、常に別々の統合チャンバを必要とすることである。別々の統合チャンバは、装置の大型化につながり、このため、色を最適に混合するために組み立てることはより困難になる。小さい又は最適でないデザインの統合チャンバが使用される場合には、個々の色が完全に混合されることなく、従って、これらが識別されることがある。
【発明の開示】
【発明が解決しようとする課題】
【０００８】
従って、簡易で、所望の色温度の白色光を発生するように容易に調整できる、改良された白色光ＬＥＤを求める要望が存在している。
【課題を解決するための手段】
【０００９】
本発明の目的は、白色光を放射する、改良されたＬＥＤを創り出すことである。この目的を達成するための発光ダイオード（ＬＥＤ）の構造は、
−少なくとも１つのＬＥＤユニットと、
−第１の材料から作られた、少なくとも第１の種類のＬＥＤのダイと、
−第２の材料から作られた、少なくとも第２の種類のＬＥＤのダイと、
−波長変換材料を備えている密封部材と、を備え、
前記少なくとも第１の種類のＬＥＤのダイは、前記少なくとも第２の種類のＬＥＤのダイとは別々に、電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されている。このＬＥＤ構造はさらに、前記ＬＥＤ構造から得られる色温度を調整するための手段を備えていることを特徴としている。
【００１０】
それにより、統合チャンバの必要無しに、冷白色から暖白色への移行が可能になる。さらに、色温度は、エンドユーザによって、容易に変更できる。
【００１１】
前記第１の種類のＬＥＤのダイは、好ましくは、青色のＬＥＤのダイであって、前記第１の材料は、ＩｎＧａＮ(Indium Gallium Nitride)及びＧａＮ(Gallium Nitride)から選択される。
【００１２】
前記第２の種類のＬＥＤのダイは、好ましくは、アンバーのＬＥＤのダイであって、前記第２の材料は、ＡｌＩｎＧａＰ(Indium Gallium Aluminum Phosphide)、ＧａＡｓＰ(Gallium Arsenide Phosphide)、及びＧａＰ(Gallium Phosphide)から選択される。
【００１３】
波長変換材料は、例えば、（ＹＡＧ：Ｃｅ）、（ＹＡＧ：Ｃｅ，Ｐｒ）、及び（ＹＡＧ：Ｃｅ，Ｅｕ）などの、セリウム、プラセオジム、ユーロピウム、又はこれらの組合せがドープされた、イットリウム・アルミニウム・ガーネットである。
【００１４】
前記ＬＥＤ構造から得られる色温度を調整するための手段は、例えば、パルス幅変調を使用しており、このパルス幅変調において、ＬＥＤのダイは合わせて１００％の時間、スイッチオンされ、前記第１の種類のＬＥＤのダイは、時間のｎ％の間だけスイッチオンされ、前記第２の種類のＬＥＤのダイは、時間の（１００−ｎ）％の間だけスイッチオンされる。
【００１５】
また、本発明は、前述したＬＥＤ構造において、色温度の出力値を調整するための方法に関する。
【００１６】
加えて、本発明は、ＬＥＤ構造から得られる色温度を調整するための手段に関し、前記ＬＥＤ構造は、少なくとも１つのＬＥＤユニットと、第１の材料から作られた、少なくとも第１の種類のＬＥＤのダイと、第２の材料から作られた、少なくとも第２の種類のＬＥＤのダイと、波長変換材料を備えている密封部材と、を備え、前記少なくとも第１の種類のＬＥＤのダイは、前記少なくとも第２の種類のＬＥＤのダイとは別々に、電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されている。
【発明を実施するための最良の形態】
【００１７】
本発明は、１つのＬＥＤのパッケージ内において、冷白色から暖白色へ変化することができる、蛍光体変換白色ＬＥＤを作ることを可能にする。
【００１８】
白色ＬＥＤにおいては、単一のダイよりむしろ、複数のダイを配置することが一般的に知られている。ダイの上には、蛍光体の層が配置され、青色光を（冷）白色に変換する。
【００１９】
請求項１の序文に従ったＬＥＤ構造は、米国特許出願公開第２００５／００８２９７４号によって知られており、これは標準的な白色ＬＥＤに赤のＬＥＤのダイを追加して、演色特性を改良する方法を開示している。
【００２０】
本発明者らは、意外なことに、請求項１の序文に従ったＬＥＤ構造に基づいて、色温度の値を調整することができることを見い出した。従前には、１つのＬＥＤ構造内で、冷白色から暖白色に、又はその逆に、変化させることは可能ではなかった。
【００２１】
ＬＥＤ構造によって放射される色温度値の調整は、放射された色温度を事前に選択された値に調整する能力を有する手段を具備することで達成される。
【００２２】
図１を参照すると、本発明によるＬＥＤ構造は、少なくとも１つのＬＥＤユニット（１）を備え、基板（２）の上には、第１の種類のＬＥＤのダイ（３）と、第２の種類のＬＥＤのダイ（４）とが配置されている。第１の種類のＬＥＤのダイ（３）は、第２の種類のＬＥＤのダイ（４）とは別々に、電気的にアドレス指定できる（図示せず）。密封部材（５）は、波長変換材料（６）を備え、ダイ（３），（４）にかぶせて配置される。このＬＥＤ構造はさらに、前記ＬＥＤ構造から得られる色温度を調整するための手段（７）を備えている。
【００２３】
色温度を調整するための手段（７）は、エンドユーザが、所望の出力の色温度を設定できるように構成されている。所望の出力値の設定に基づいて、色温度を調整する手段（７）は、所望の出力値に到達するまで、第１の種類のＬＥＤのダイと第２の種類のＬＥＤのダイとの輝度を変化させる能力を有している。
【００２４】
色温度を調節する適当な手段（７）は、パルス幅変調を使用し、青色のＬＥＤとアンバーのＬＥＤは、１００％の時間について、全体としてスイッチオンされる。青色のＬＥＤは、所定の持続時間だけスイッチオンされ、アンバーのＬＥＤは、残りの時間だけスイッチオンされる。すなわち、青色のＬＥＤがｎ％の時間だけスイッチオンされるならば、アンバーのＬＥＤは（１００−ｎ）％の時間だけスイッチオンされる。このように、色の任意の混合を実現することができる。しかしながら、本発明に従って、代替的な方法を使用してもよい。
【００２５】
本発明の好ましい実施形態においては、アンバーＬＥＤのダイは、従来の白色ＬＥＤユニットにおけるいくつかの青色ＬＥＤのダイと置き換えられたものである。両方の種類のダイ、すなわち、青色ＬＥＤのダイとアンバーＬＥＤのダイとは、波長変換材料、すなわち、蛍光体を含む密封部材によって被覆されている。両方の種類のダイが、同一の密封部材によって被覆されているので、密封部材に備えられた蛍光体は、２つの機能を得る。すなわち、
１）青色の光を白色光に変換する変換器として、及び、
２）アンバーの光と白色光とを混合する拡散器として、機能する。
【００２６】
従って、蛍光体は、青色ＬＥＤのダイを経て、蛍光体が発生させた白色光をアンバー光と混合するので、両方の種類のダイをスイッチオンすると、白色光が得られない。
【００２７】
例えば、およそ６０００Ｋの非常に冷たい白色光を開始点として使用した場合、アンバーＬＥＤのダイをスイッチオンすると、ＬＥＤの色は暖色になる。故に、アンバーのダイを駆動しないときのＬＥＤの色を冷たくするほど、色温度の変化は広くなる。所望のＬＥＤの色温度を得るため、ＬＥＤの輝度を変化させる任意の手段を使用することができる。
【００２８】
所望の効果を得るため、青色ＬＥＤのダイと組み合わせて、アンバー以外の色（例えば、赤色）のＬＥＤのダイを使用してもよい。しかしながら、本発明において使用するには、アンバーＬＥＤのダイが好ましく、というのは、アンバーＬＥＤは、何もその他の追加物が無くても、極度に暖白色のＬＥＤの色温度と最も類似するためである。それに加えて、アンバーの使用では、ＬＥＤの演色に与える害が最小である。
【００２９】
“別々に電気的にアドレス指定可能”とは、それぞれの種類のＬＥＤのダイが別々に制御でき、すなわち、それぞれの種類のＬＥＤのダイに、別の種類に影響せずに、電気的にアクセス可能であることを意味している。
【００３０】
本発明による青色ＬＥＤのダイは、例えば、ＩｎＧａＮ(Indium Gallium Nitride)又はＧａＮ(Gallium Nitride)から作られる。ＩｎＧａＮは、最も一般的に使用される高出力の青色ＬＥＤである。青色ＬＥＤのダイに加えて、本発明においては、紫色又は紫外のＬＥＤのダイを使用してもよい。
【００３１】
本発明におけるアンバーＬＥＤのダイは、例えば、ＡｌＩｎＧａＰ(Indium Gallium Aluminum Phosphide)、ＧａＡｓＰ(Gallium Arsenide Phosphide)、又はＧａＰ(Gallium Phosphide)から作られ、好ましくは、ＡｌＩｎＧａＰである。
【００３２】
本願において、“ＬＥＤユニット”とは、１つ又は複数のＬＥＤのダイと、取付フレームと、電気接続と、光を取り出す光学的手段とを備えている、サブアセンブリに関連している。
【００３３】
本願において、“ＬＥＤのダイ”とは、可視又は不可視の光を発生させる能力を有している半導体材料に関連している。
【００３４】
開示された実施形態では、２種類のＬＥＤのダイだけを用いているけれども、本発明においては、２以上の異なる種類のＬＥＤのダイを使用することができることを理解されたい。
【００３５】
本願において、“密封部材”とは、ＬＥＤのダイを外部の影響に対して保護する材料又は材料の組成である。それは、ＬＥＤのダイと雰囲気との間のバッファとして機能すべきであり、また、すべての材料の熱特性と合致して、機械的応力を減少させるべきである。密封部材は、例えば、ポリカーボネートから作られ、任意的には、シリコーンのゲルと併用されて、熱的挙動を合致させる。前記密封部材の単一の連続した部分は、波長変換材料を備え、両方の種類のＬＥＤのダイから放射された光を受けるように配置される。
【００３６】
本願において、“波長変換材料”とは、ある単一の（モノクロの）波長を、別の波長に変換し、従って、放射された光の色を変化させる能力を有する材料に関連している。波長変換材料は、一般的に、蛍光体と称される。代表的に使用される蛍光体は、光学的に活性なドーパントを含有している無機のホスト物質から構成される。イットリウム・アルミニウム・ガーネット（ＹＡＧ）は、一般的なホスト材料であって、ダイオードの用途のためには、通常は、１つの希土類要素又は希土類化合物でドープされる。セリウムは、白色光を放射するダイオードのためにデザインされたＹＡＧの蛍光体における一般的なドーパント要素である。本発明において使用するための蛍光体の例は、例えば、（ＹＡＧ：Ｃｅ）、（ＹＡＧ：Ｃｅ，Ｐｒ）、及び（ＹＡＧ：Ｃｅ，Ｅｕ）などの、セリウム、プラセオジム、ユーロピウム、又はこれらの組合せをドープされた、イットリウム・アルミニウム・ガーネットである。また、非ＹＡＧベースの蛍光体を用いることもできる。
【００３７】
波長変換材料は、一般的に、密封部材中に均一に分散される。波長変換材料を横切って色に差が生じるのを避けるために、材料は、可能な限り、均一に分散するべきである。
【００３８】
本発明によるＬＥＤ構造は、通常、本発明によるＬＥＤユニットのアレイを備えている。
【００３９】
本発明によるＬＥＤ構造は、青色とアンバーとのＬＥＤのダイの両方が、同一の蛍光体によって被覆されているため、製造が容易である。従って、基本的に、冷白色を作り出す蛍光体と、１つのパッケージにおいて複数のダイを取り扱うことができる、任意の従来のＬＥＤ構造を使用することができる。
【００４０】
ＬＥＤ構造は、青色のダイだけを使用する場合に比べて変化していないので、ＬＥＤのコストは、色温度を変化できないＬＥＤと同一である。青色のダイは、赤色／アンバーのダイに比べて高価であるので、ＬＥＤをより安価にすることができる。
【００４１】
本発明は、いかなる照明用途にも使用でき、例えば、（ハイエンドの）オフィス照明、ハロゲンの代替、机の照明、及びその他の一般的な照明用途に使用される。
【図面の簡単な説明】
【００４２】
【図１】図１は、本発明によるＬＥＤユニットを示した断面図である。
【符号の説明】
【００４３】
１  ＬＥＤユニット
２  基板
３  ＬＥＤのダイ
４  ＬＥＤのダイ
５  密封部材
６  波長変換材料
７  色温度調整手段
【図１】
2009517858.tif 000003
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
発光ダイオード（ＬＥＤ）の構造であって、
少なくとも１つのＬＥＤユニット（１）と、
第１の材料から作られた、少なくとも第１の種類のＬＥＤのダイ（３）であって、前記第１の種類のＬＥＤのダイ（３）が青色ＬＥＤのダイである、少なくとも第１の種類のＬＥＤのダイ（３）と、
第２の材料から作られた、少なくとも第２の種類のＬＥＤのダイ（４）であって、前記第２の種類のＬＥＤのダイ（４）がアンバーＬＥＤのダイである、少なくとも第２の種類のＬＥＤのダイ（４）と、
波長変換材料（６）を備えている密封部材（５）と、を備え、
前記少なくとも第１の種類のＬＥＤのダイ（３）は、前記少なくとも第２の種類のＬＥＤのダイ（４）とは別々に電気的にアドレス指定可能であり、前記少なくとも１つのＬＥＤユニット（１）は、両方の種類のＬＥＤのダイ（３，４）を含んでいると共に、波長変換材料（６）を備えた前記密封部材（５）の少なくとも１つの連続部分が、両方の種類のＬＥＤのダイ（３，４）から放射された光を受けるように配置されており、
前記ＬＥＤ構造はさらに、前記ＬＥＤ構造から得られる色温度を調整するための手段（７）を備えている、ＬＥＤ構造。
【請求項２】
前記第１の材料は、ＩｎＧａＮ(Indium Gallium Nitride)及びＧａＮ(Gallium Nitride)から選択されていることを特徴とする請求項１に記載のＬＥＤ構造。
【請求項３】
前記第２の材料は、ＡｌＩｎＧａＰ(Indium Gallium Aluminum Phosphide)、ＧａＡｓＰ(Gallium Arsenide Phosphide)及びＧａＰ(Gallium Phosphide)から選択されていることを特徴とする請求項１又は２に記載のＬＥＤ構造。
【請求項４】
前記波長変換材料（６）は、（ＹＡＧ：Ｃｅ）、（ＹＡＧ：Ｃｅ，Ｐｒ）、及び（ＹＡＧ：Ｃｅ，Ｅｕ）等の、セリウム、プラセオジム、ユーロピウム、又はこれらの組合せをドープされた、イットリウム・アルミニウム・ガーネットであることを特徴とする請求項１乃至３のいずれか１項に記載のＬＥＤ構造。
【請求項５】
前記ＬＥＤ構造から得られる色温度を調整するための前記手段は、パルス幅変調を使用していることを特徴とする請求項１乃至４のいずれか１項に記載のＬＥＤ構造。
【請求項６】
前記パルス幅変調において、前記第１の種類のＬＥＤのダイと、前記第２の種類のＬＥＤのダイとが、合わせて１００％の時間、スイッチオンされ、前記第１の種類のＬＥＤのダイは、時間のｎ％の間だけスイッチオンされ、前記第２の種類のＬＥＤのダイは、時間の（１００−ｎ）％の間だけスイッチオンされることを特徴とする請求項５に記載のＬＥＤ構造。
【請求項７】
請求項１乃至６のいずれか１項に記載のＬＥＤ構造の色温度の出力値を調整する方法であって、
所望の出力値を設定する段階と、
前記所望の出力値に達するまで、前記第１の種類のＬＥＤのダイ（３）と前記第２の種類のＬＥＤのダイ（４）との輝度を変化させる段階と、
を備えていることを特徴とするＬＥＤ構造の色温度の出力値を調整する方法。
【請求項８】
ＬＥＤ構造から得られる色温度を調整するための手段であって、
前記ＬＥＤ構造が、
少なくとも１つのＬＥＤユニット（１）と、
第１の材料から作られた、少なくとも第１の種類のＬＥＤのダイ（３）であって、前記第１の種類のＬＥＤのダイ（３）が青色ＬＥＤのダイである、少なくとも第１の種類のＬＥＤのダイ（３）と、
第２の材料から作られた、少なくとも第２の種類のＬＥＤのダイ（４）であって、前記第２の種類のＬＥＤのダイ（４）がアンバーＬＥＤのダイである、少なくとも第２の種類のＬＥＤのダイ（４）と、
波長変換材料（６）を備えている密封部材（５）と、を備え、
前記少なくとも第１の種類のＬＥＤのダイ（３）は、前記少なくとも第２の種類のＬＥＤのダイ（４）とは別々に電気的にアドレス指定可能であり、前記少なくとも１つのＬＥＤユニット（１）は、両方の種類のＬＥＤのダイ（３，４）を含んでいると共に、波長変換材料（６）を備えた前記密封部材（５）の少なくとも１つの連続部分が、両方の種類のＬＥＤのダイ（３，４）から放射された光を受けるように配置されている、
ことを特徴とする手段。
【手続補正２】
【補正対象書類名】明細書
【補正対象項目名】０００９
【補正方法】変更
【補正の内容】
【０００９】
本発明の目的は、白色光を放射する、改良されたＬＥＤを創り出すことである。この目的を達成するための発光ダイオード（ＬＥＤ）の構造は、
−少なくとも１つのＬＥＤユニットと、
−第１の材料から作られた、少なくとも第１の種類のＬＥＤのダイであって、前記第１の種類のＬＥＤのダイが青色ＬＥＤのダイである、少なくとも第１の種類のＬＥＤのダイと、
−第２の材料から作られた、少なくとも第２の種類のＬＥＤのダイであって、前記第２の種類のＬＥＤのダイがアンバーＬＥＤのダイである、少なくとも第２の種類のＬＥＤのダイと、
−波長変換材料を備えている密封部材と、を備え、
前記少なくとも第１の種類のＬＥＤのダイは、前記少なくとも第２の種類のＬＥＤのダイとは別々に、電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されている。このＬＥＤ構造はさらに、前記ＬＥＤ構造から得られる色温度を調整するための手段を備えている。
【手続補正３】
【補正対象書類名】明細書
【補正対象項目名】００１６
【補正方法】変更
【補正の内容】
【００１６】
加えて、本発明は、ＬＥＤ構造から得られる色温度を調整するための手段に関し、前記ＬＥＤ構造は、少なくとも１つのＬＥＤユニットと、第１の材料から作られた、少なくとも第１の種類のＬＥＤのダイであって、前記第１の種類のＬＥＤのダイが青色ＬＥＤのダイである、少なくとも第１の種類のＬＥＤのダイと、第２の材料から作られた、少なくとも第２の種類のＬＥＤのダイであって、前記第２の種類のＬＥＤのダイがアンバーＬＥＤのダイである、少なくとも第２の種類のＬＥＤのダイと、波長変換材料を備えている密封部材と、を備え、前記少なくとも第１の種類のＬＥＤのダイは、前記少なくとも第２の種類のＬＥＤのダイとは別々に、電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されている。
【手続補正４】
【補正対象書類名】明細書
【補正対象項目名】００１９
【補正方法】変更
【補正の内容】
【００１９】
発光ダイオード（ＬＥＤ）の構造であって、
−少なくとも１つのＬＥＤユニットと、
−第１の材料から作られた、少なくとも第１の種類のＬＥＤのダイと、
−第２の材料から作られた、少なくとも第２の種類のＬＥＤのダイと、
−波長変換材料を備えている密封部材と、を備え、
前記少なくとも第１の種類のＬＥＤのダイは、前記少なくとも第２の種類のＬＥＤのダイとは別々に電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されているＬＥＤ構造は、米国特許出願公開第２００５／００８２９７４号によって知られており、これは標準的な白色ＬＥＤに赤のＬＥＤのダイを追加して、演色特性を改良する方法を開示している。
【手続補正５】
【補正対象書類名】明細書
【補正対象項目名】００２０
【補正方法】変更
【補正の内容】
【００２０】
本発明者らは、意外なことに、
発光ダイオード（ＬＥＤ）の構造であって、
−少なくとも１つのＬＥＤユニットと、
−第１の材料から作られた、少なくとも第１の種類のＬＥＤのダイと、
−第２の材料から作られた、少なくとも第２の種類のＬＥＤのダイと、
−波長変換材料を備えている密封部材と、を備え、
前記少なくとも第１の種類のＬＥＤのダイは、前記少なくとも第２の種類のＬＥＤのダイとは別々に電気的にアドレス指定可能であり、前記少なくとも１つのＬＥＤユニットは、両方の種類のＬＥＤのダイを含んでいると共に、波長変換材料を備えた前記密封部材の少なくとも１つの連続部分が、両方の種類のＬＥＤのダイから放射された光を受けるように配置されているＬＥＤ構造に基づいて、色温度の値を調整することができることを見い出した。従前には、１つのＬＥＤ構造内で、冷白色から暖白色に、又はその逆に、変化させることは可能ではなかった。
【国際調査報告】
2009517858.tif 000004
2009517858.tif 000005
2009517858.tif 000006